(57)【要約】      （修正有）【課題】ＬＰガスのガス容器の配送において低コストのガス容器の保管庫を提供する。【解決手段】ガス容器の保管庫は、トレーラーを駐車させる位置を示す枠と、枠の内側に駐車されたトレーラーを覆う屋根と、枠の近傍に設置された消火器と、トレーラーの開けられるアオリの両側にある閉じられたアオリの上部同士をつなぐ鎖４と、トレーラー上に充てん容器が積載されている充てん容器置場であることまたはトレーラー上に残ガス容器が積載されている残ガス容器置場であることを示す札５とを備える。【選択図】図２
0003224152.tif 000002
【実用新案登録請求の範囲】
【請求項１】
ガス容器を積載するトレーラーを使用する、ガス容器の保管庫であって、前記トレーラーを駐車させる位置を示す枠と、前記枠の内側に駐車された前記トレーラーを覆う屋根と、前記枠の近傍に設置された消火器と、前記トレーラーの開けられるアオリの両側にある閉じられたアオリの上部同士をつなぐ鎖と、前記トレーラー上に充てん容器が積載されている充てん容器置場であることまたは前記トレーラー上に残ガス容器が積載されている残ガス容器置場であることを示す札とを備えたことを特徴とするガス容器の保管庫。
【請求項２】
前記トレーラーを前記枠の内側に駐車させるための目印である印しであって、前記トレーラーを前記枠の内側に駐車させると前記トレーラーを牽引するトラクターが停止する前輪位置を示す印しをさらに備えたことを特徴とする請求項１に記載のガス容器の保管庫。
【請求項３】
前記札は、前記アオリまたは前記鎖またはガス容器に架けることを特徴とする請求項１または２に記載のガス容器の保管庫。
【請求項４】
配送用トラックを駐車させる位置を示す線をさらに備えたことを特徴とする請求項１ないし３のいずれか一項に記載のガス容器の保管庫。
【請求項５】
前記配送用トラックを駐車させるときの停止位置の目安である塊りをさらに備えたことを特徴とする請求項４に記載のガス容器の保管庫。
【考案の詳細な説明】
【技術分野】
【０００１】
本考案は、ガス容器の保管庫に関し、より詳細には、ＬＰ（液化石油）ガスの配送における、ガス容器を一時的に保管するためのガス容器の保管庫に関する。
【背景技術】
【０００２】
従来、ＬＰガスは、例えば、タンカーによって産ガス国から港に運ばれて輸入される。輸入されたＬＰガスは、ＬＰガスを保管する、沿岸部にある輸入基地、内陸部にある中継基地などに保管される。さらに、保管されたＬＰガスは、例えば、タンクローリーによって、各地のＬＰガス充てん所に輸送される。輸送されたＬＰガスは、ＬＰガス充てん所においてガス容器に充てんされる。
【０００３】
ＬＰガスが充てんされたガス容器は、例えば、トラクターが牽引するトレーラーによって、ＬＰガス充てん所からガス容器の保管庫に運ばれる。運ばれたガス容器は、トレーラーから保管庫に降ろされ、一時的に保管庫に保管される。例えば、顧客の家庭においてガス容器の交換が必要になると、保管されたガス容器は、保管庫から各家庭などに運ぶ配送用トラックに積み込まれ、配送用トラックによって顧客の家庭に届けられる。
【０００４】
ガス容器の保管庫については、半導体製造用ガスのガス容器保管庫に関し、例えば、対爆発、火災、毒性ガス漏洩などへの安全対策を向上するための保管庫が知られている（例えば、特許文献１参照）。
【先行技術文献】
【特許文献】
【０００５】
【特許文献１】特開平３−１１７８００号公報
【考案の概要】
【考案が解決しようとする課題】
【０００６】
しかしながら、ＬＰガスのガス容器の配送に要するコストは高いという問題があった。
【０００７】
本考案は、このような問題に鑑みてなされたもので、その目的とするところは、トレーラーを保管庫として使用することにより、ガス容器の配送において低コストのガス容器の保管庫を提供することにある。
【課題を解決するための手段】
【０００８】
このような目的を達成するために、本考案の一態様は、ガス容器を積載するトレーラーを使用する、ガス容器の保管庫であって、トレーラーを駐車させる位置を示す枠と、枠の内側に駐車されたトレーラーを覆う屋根と、枠の近傍に設置された消火器と、トレーラーの開けられるアオリの両側にある閉じられたアオリの上部同士をつなぐ鎖と、トレーラー上に充てん容器が積載されている充てん容器置場であることまたはトレーラー上に残ガス容器が積載されている残ガス容器置場であることを示す札とを備える。
【０００９】
本考案の別の態様は、ガス容器を積載するトレーラーを使用する、ガス容器の保管庫であって、トレーラーを駐車させる位置を示す枠と、枠の内側に駐車されたトレーラーを覆う屋根と、枠の近傍に設置された消火器と、トレーラーの開けられるアオリの両側にある閉じられたアオリの上部同士をつなぐ鎖と、トレーラー上に充てん容器が積載されている充てん容器置場であることまたはトレーラー上に残ガス容器が積載されている残ガス容器置場であることを示す札と、トレーラーを枠の内側に駐車させるための目印である印しであり、トレーラーを枠の内側に駐車させるとトレーラーを牽引するトラクターが停止する前輪位置を示す印しと、を備える。
【００１０】
本考案の別の態様は、ガス容器を積載するトレーラーを使用する、ガス容器の保管庫であって、トレーラーを駐車させる位置を示す枠と、枠の内側に駐車されたトレーラーを覆う屋根と、枠の近傍に設置された消火器と、トレーラーの開けられるアオリの両側にある閉じられたアオリの上部同士をつなぐ鎖と、トレーラー上に充てん容器が積載されている充てん容器置場であることまたはトレーラー上に残ガス容器が積載されている残ガス容器置場であることを示す札と、トレーラーを枠の内側に駐車させるための目印である印しであり、トレーラーを枠の内側に駐車させるとトレーラーを牽引するトラクターが停止する前輪位置を示す印しと、配送用トラックを駐車させる位置を示す線とを備える。
【００１１】
本考案の別の態様は、ガス容器を積載するトレーラーを使用する、ガス容器の保管庫であって、トレーラーを駐車させる位置を示す枠と、枠の内側に駐車されたトレーラーを覆う屋根と、枠の近傍に設置された消火器と、トレーラーの開けられるアオリの両側にある閉じられたアオリの上部同士をつなぐ鎖と、トレーラー上に充てん容器が積載されている充てん容器置場であることまたはトレーラー上に残ガス容器が積載されている残ガス容器置場であることを示す札と、トレーラーを枠の内側に駐車させるための目印である印しであり、トレーラーを枠の内側に駐車させるとトレーラーを牽引するトラクターが停止する前輪位置を示す印しと、配送用トラックを駐車させる位置を示す線と、配送用トラックを駐車させるときの停止位置の目安である塊りとを備える。
【考案の効果】
【００１２】
本考案によれば、ガス容器をトレーラーから積み降ろすことなく、ガス容器を保管することが可能となる。
【図面の簡単な説明】
【００１３】
【図１】本考案の一実施形態に係るガス容器の保管庫の概観を表す図である。
【図２】本考案の一実施形態に係るガス容器の保管庫の使用例を例示する図である。
【考案を実施するための形態】
【００１４】
以下、図面を参照しながら本考案の実施形態について詳細に説明する。
【００１５】
図１は、本考案の一実施形態に係るガス容器の保管庫の概観を表す図である。ガス容器の保管庫の敷地において、ガス容器を積載したトレーラーを駐車させる位置を示す枠１と、枠１の内側に駐車されたトレーラーを覆う屋根３と、屋根３の下に設置された消火器２と、トレーラーを枠１に駐車させるときの目印であり、駐車されるトレーラーを牽引するトラクターが停止する前輪位置を示す印し６と、配送用トラックを駐車させる位置を示す線７と、配送用トラックを駐車させるときの停止位置の目安である塊り８とが設置されている。
【００１６】
ガス容器の保管庫の敷地において、枠１の大きさは、トレーラーの後部のアオリを開閉するのに適切な間隔を確保して、トレーラーを駐車するのに適切な大きさであればよい。線７が示す配送用トラックを駐車させる広さは、ゲートを開閉するのに適切な間隔を確保して、配送用トラックを駐車するのに適切な広さであればよい。
【００１７】
ガス容器の保管庫の敷地において、枠１と線７とは、駐車されたトレーラーと駐車された配送用トラックとが直交するように設置する。消火器２は、屋根３を支える柱付近に設置する。代替えとして、消火器２は、消火器格納箱に入れておき、枠１の近傍であれば、必ずしも屋根３を支える柱付近に設置する必要はない。屋根３は、枠１の内側に駐車されたトレーラーを覆い、枠１の内側に駐車されたトレーラーの荷台の上にあるガス容器の温度が４０度未満になるよう、直射日光を遮るように設置する。
【００１８】
ガス容器の保管庫の敷地において、印し６は、トレーラーを牽引するトラクターの運転手が印し６を目視しつつハンドルを操作して、トラクターの前輪を印し６に合わせると、枠１の内側にトレーラーを駐車させることができる位置に設置する。塊り８は、配送用トラックを駐車させるときに、配送用トラックのゲートが開いた状態において配送用トラックの荷台おける後部の縁が、駐車されたトレーラーのアオリを開けた状態におけるトレーラーの荷台の縁に接触しないよう、配送用トラックを停止させることができる位置に設置する。
【００１９】
図２は、本考案の一実施形態に係るガス容器の保管庫の使用例を例示する図である。枠１の内側に駐車されたトレーラーの荷台において、トレーラーのアオリが開けられ、開けられるアオリの両側にある閉じられたアオリの上部同士をつなぐようにかけられた鎖４と、トレーラーの荷台のガス容器置場が充てん容器の置場であるのか残ガス容器の置場であるのかを示す札５とが設置されている。
【００２０】
鎖４は、トレーラーのアオリが開けられた状態において、トレーラーの荷台の上にあるガス容器の転倒を防止する機能を有する。札５は、１つの面には、ガス容器置場が充てん容器の置場であることを示す表示と、もう１つの面には、ガス容器置場が残ガス容器の置場であることを示す表示とを有する。ただし、充てん容器は、例えば、高圧ガス保安法にあるような「現に液化石油ガス（液化石油ガスが充てんされた後に当該ガスの質量が充てん時における質量の二分の一以上減少していないものに限る。）を充てんしてある容器」を意味する。また、残ガス容器は、例えば、高圧ガス保安法にあるような「現に液化石油ガスを充てんしてある容器であって、充てん容器以外のもの」を意味する。
【００２１】
代替えとして、ガス容器置場が充てん容器の置場であることを示す表示、またはガス容器置場が残ガス容器の置場であることを示す表示は、別個の札であってもよい。また、札５は、必ずしもトレーラーの閉じられたアオリにかける必要はなく、例えば、鎖４にかけても、ガス容器にかけてもよく、表示をすることができれば何でもよい。
【００２２】
このような構成により、トレーラーをガス容器の保管庫として使用する。
【００２３】
以下、トレーラーを、ガス容器の保管庫として使用することができるようにするシステムを説明する。
【００２４】
第１に、トレーラーを駐車させるステップにおいて、ＬＰガス充てん所においてＬＰガスが充てんされたガス容器を積載したトレーラーが、ガス容器の保管庫の敷地に入る。ガス容器を積載したトレーラーを牽引するトラクターの運転手は、印し６を目印として、敷地に入ったトレーラーを運転して枠１の内側に駐車させる。
【００２５】
第２に、トレーラーのアオリを開けるステップにおいて、トレーラーのアオリのうち２つのアオリが開かれる。理由は、ガス容器の保管には換気が必要であるという、高圧ガスに関する法令を遵守するためである。
【００２６】
第３に、トレーラーのアオリに鎖４を架けるステップにおいて、アオリが開いたため、トレーラーの荷台の上にあるガス容器が転倒する可能性があるので、開いた２つのアオリの部分に、開けられる２つのアオリの両側にあるそれぞれの閉じられたアオリの上部同士をつなぐよう、２つの鎖４をそれぞれ架ける。
【００２７】
第４に、トレーラーのアオリに札５を架けるステップにおいて、トレーラーの開いていないアオリに札５を架ける。理由は、ガス容器置場が、充てん容器の置場なのか、残ガス容器の置場なのかが容易に識別できなければならないという、高圧ガスに関する法令を遵守するためである。
【００２８】
以上のステップによって、トレーラーを、ガス容器の保管庫として使用することができるようになる。ＬＰガスが充てんされたガス容器を、新たに別の建物を用意する必要がなく、高圧ガスに関する法令を遵守した状態において、トレーラーに保管することができる。
【００２９】
次に、顧客の家庭においてガス容器の交換が必要になると、配送用トラックが、線７および塊り８に従って駐車される。駐車された配送用トラックのゲートが開かれる。すると、ガス容器を保管しているトレーラーの荷台から、駐車された配送用トラックの荷台に、ＬＰガスが充てんされたガス容器を積み込むことができるようになる。そして、ＬＰガスが充てんされたガス容器は、配送用トラックに積み込まれて、顧客の家庭に運ばれる。
【００３０】
顧客の家庭において交換された空のガス容器が配送用トラックによって回収されると、空のガス容器を積載した配送用トラックが、線７および塊り８に従って駐車される。駐車された配送用トラックのゲートが開かれる。すると、駐車された配送用トラックの荷台から、トレーラーの荷台に、空のガス容器を積み込むことができるようになる。そして、空のガス容器は、トレーラーの荷台に積み込まれて、トレーラーによってＬＰガス充てん所に運ばれる。
【００３１】
結果として、ガス容器をトレーラーから積み降ろすことなく、ガス容器を保管することができる。
【００３２】
本実施形態によれば、高圧ガスに関する法令を遵守した、低コストのガス容器の保管庫を提供することができる。
【符号の説明】
【００３３】
１  枠
２  消火器
３  屋根
４  鎖
５  札
６  印し
７  線
８  塊り
【図１】
0003224152.tif 000003
【図２】
0003224152.tif 000004